(57)【要約】      （修正有）【課題】作業者の安全を確保できるだけでなく、構造が単純で取り付け取り外しが容易であり、位置の変更が簡便にできる簡易型安全装置を提供する。【解決手段】支柱１と少なくとも１個のガード板支持部６を片側に連結したガード板５とからなり、前記支柱に設けた凹部４または突起と前記ガード板支持部に設けた突起または凹部４とを嵌合係止することにより、前記支柱の軸線を中心とする円の円周方向への前記ガード板の回動を防止するよう構成したことを特徴とする。【選択図】図１
0003184879.tif 000002
【実用新案登録請求の範囲】
【請求項１】
支柱と少なくとも１個のガード板支持部を片側に連結したガード板とからなり、前記支柱に設けた凹部または突起と前記ガード板支持部に設けた突起または凹部とを嵌合係止することにより、前記支柱の軸線を中心とする円の円周方向への前記ガード板の回動を防止するよう構成したことを特徴とする簡易型安全装置。
【請求項２】
前記ガード板支持部は、前記支柱の前記凹部または突起との嵌合係止から解放された位置においては、前記支柱の軸線に垂直な方向に離脱しない程度にしかも前記支柱に対して回動可能に配置されていることを特徴とする請求項１記載の防護ガード。
【請求項３】
前記ガード板支持部は、前記ガード板の自重により前記支柱に設けた凹部または突起と嵌合係止するよう構成されていることを特徴とする請求項１または２記載の簡易型安全装置。
【請求項４】
前記支柱が円柱状であることを特徴とする請求項１乃至３のいずれかに記載の簡易型安全装置。
【請求項５】
前記支柱に設けた凹部が、前記支柱表面の前記軸線に沿った案内溝と、該溝に連結されて該溝から垂直方向に伸びる複数の補助溝と、該補助溝の各々の先端部分に接続され前記支柱軸線方向に形成された係止凹部とからなることを特徴とする請求項１乃至４のいずれかに記載の簡易型安全装置。
【請求項６】
前記ガード板支持部が円環状に形成されていて内表面の一部に係止突起が形成されており、該係止突起が前記支柱の前記案内溝及び補助溝内において摺動自在に前記ガード板を規制することを特徴とする請求項１乃至５のいずれかに記載の簡易型安全装置。
【請求項７】
前記支柱が垂直に配置され、前記係止凹部が各補助溝に対して下向きに接続されていることを特徴とする請求項１乃至６のいずれかに記載の簡易型安全装置。
【考案の詳細な説明】
【技術分野】
【０００１】  本考案は、プレス機などの産業機械における作業者の安全を確保するための簡易的な安全装置に関する。
【背景技術】
【０００２】  従来、産業機械特にプレス機などは、作業者の安全を確保するため前面に光線式の安全装置が設けられ、作業者の体の一部が作業区域内に入ると機械が停止したり或いは作動しないといった安全対策がとられてきた。【０００３】  また、別の方式として、特許文献１に示されるような物理的な安全装置も提案されている。この装置においては、プレス機ボルスタ上の左右側面及び前面をそれぞれ耐衝撃性透明板で囲い、その各透明板をそれぞれ別個にボルスタ上から取り外し可能とし、かつ前面の透明板をその側縁の支軸でもって回動自在に支持して扉とし、この扉にその開閉検知センサを付設し、そのセンサの開放検知信号による前記プレス機の運転停止機能を備えたことを特徴とする。【０００４】
【特許文献１】特開平６−１５４９３号公報
【考案の開示】
【考案が解決しようとする課題】
【０００５】  前述の光学式安全装置の場合、前面ばかりでなく側面にも設置しようとすると３組のセンサが必要となり、価格が高価になってしまうという問題点がある。また、プレス機側面は、材料の供給・搬出装置を連結したり、エアブロワを設置したりした場合に、センサビームの邪魔になってしまうこともあった。【０００６】  また、特許文献１に示した透明板による安全装置では、側面の透明板が固定式であるため、金型交換により材料の供給・搬出装置やエアブロワの位置を変更しようとした場合に問題があった。【０００７】  本考案は上述の問題点に鑑みて、作業者の安全を確保できるだけでなく、構造が単純で取り付け取り外しが容易であり、位置の変更が簡便にできる防護ガードを提供することを課題とする。
【課題を解決するための手段】
【０００８】  上述の課題を解決するため本考案は、支柱と少なくとも１個のガード板支持部を片側に連結したガード板とからなり、前記支柱に設けた凹部または突起と前記ガード板支持部に設けた突起または凹部とを嵌合係止することにより、前記支柱の軸線を中心とする円の円周方向への前記ガード板の回動を防止するよう構成したことを特徴とする。【０００９】  前記ガード板支持部は、前記支柱の前記凹部または突起との嵌合係止から解放された位置においては、前記支柱の軸線に垂直な方向に離脱しない程度にしかも前記支柱に対して回動可能に配置されていることが望ましい。【００１０】  前記ガード板支持部はまた、前記ガード板の自重により前記支柱に設けた凹部または突起と嵌合係止するよう構成されていることが好適である。【００１１】  さらに、前記支柱が円柱状であることが望ましい。【００１２】  前記支柱に設けた凹部は、前記支柱表面の前記軸線に沿った案内溝と、該溝に連結されて該溝から垂直方向に伸びる複数の補助溝と、該補助溝の各々の先端部分に接続され前記支柱軸線方向に形成された係止凹部とからなる構成を取ることができる。【００１３】  また、前記ガード板支持部が円環状に形成されていて内表面の一部に係止突起が形成されており、該係止突起が前記支柱の前記案内溝及び補助溝内において摺動自在に前記ガード板を規制することが好適である。【００１４】  前記支柱は、垂直に配置され前記係止凹部が各補助溝に対して下向きに接続されていることがさらに好適である。
【考案の効果】
【００１５】  本考案による簡易型安全装置では、ガード板と支柱を嵌合係止することによりガード板を固定し、作業者が手などを機械内に挿入することを防止できるほか、嵌合係止を解放することによりガード板の位置を上下に移動することが容易となり、金型交換等により材料の供給・搬出装置やエアブロワの位置を変更しようとした場合のガード板の対応が極めて容易となる。また、構造が単純なため製造コストが安く、安価で確実な安全装置を提供することが可能となる。
【考案を実施するための最良の形態】
【実施例】
【００１６】  以下、本考案の好適な実施例について、図面に基づいて説明する。図１は、本考案による防護ガードの一実施例の説明図である。この実施例は、支柱１とガード板５とからなる。支柱１の表面上には、軸線方向に沿って案内溝２が形成され、この案内溝２の片側から溝に対して垂直方向に複数の補助溝３が案内溝に連結されるように形成されている。補助溝３の各々の先端部にはさらに下向きに係止凹部４が形成されている。図１のＡ−Ａ’線に沿った支柱の断面図を図２に示す。図から明らかなように、案内溝２、補助溝３及び係止凹部及び重量を考慮して最も適切である。【００１７】  一方、ガード板５は四角状の板からなり、材質としては容易に破断、変形しないものであれば使用できる。できれば、アクリルなどの透明プラスチック板が望ましい。ガード板５の片側はガード板支持部６により把持固定されている。このガード板支持部６の正面図及び側面図を図３に示す。ガード板支持部６の中央には貫通孔７が設けられており、外側側面からこの貫通孔７に向けて規制ピン９が配置され、貫通孔７内に突出している。規制ピン９はピン固定ネジ１０によりガード板支持部本体６に固定されている。また、ガード板保持溝８の側面にはガード板固定穴１１が設けられ、図示してないがこの穴を通してネジによりガード板を押圧固定する。【００１８】  さて、本実施例の簡易型安全装置を使用する際は、まず支柱１を所望するプレス機側面の位置に取り付け金具等により垂直に固定する。次に、ガード板支持部６の貫通孔７を支柱１に挿通する。貫通孔７内には規制ピン９が突出しているので、このピンの位置を支柱の案内溝２の位置に合わせて嵌合する。これにより、ガード板５は水平方向の回動は規制されたまま上下には移動可能となる。さらに、所望する補助溝３の位置でガード板５を右側に回動し、規制ピン９をこの補助溝３内に誘導する。補助溝の先端位置において手を離すと、ガード板は自重により落下しようとし、規制ピン９が係止凹部４に嵌合することによりガード板５の回動は規制され、その位置で固定される。【００１９】  ガード板５の位置を変更したい場合は、一旦ガード板５を上側に持ち上げて規制ピン９を係止凹部４から解放し、補助溝３を案内して案内溝まで誘導する。この後、［００１８］の手順を繰り返すことによりガード板５の垂直方向の位置を容易に変更することができる。【００２０】  必要な場合は、ガード板５に切り欠きや貫通孔を設けることにより、材料の供給・搬出装置やエアブロワの設置に対応することができる。【００２１】上記の実施例は、支柱に溝を形成しガード板支持部６の貫通孔内に突起を設けて嵌合させたが、反対に前記支柱上に、軸線に沿って一直線上に複数の係止突起を形成し、ガード板支持部の一部分に切り欠き部を形成し別の場所の下面側に係止凹部を形成することにより、同様の効果を得ることもできる。【００２２】以上、本考案の好適な実施例について説明したが、本考案の精神を逸脱しない範囲において多くの改変をなし得ることはいうまでもない。
【産業上の利用可能性】
【００２３】  本考案による簡易型安全装置では、ガード板と支柱を嵌合係止することによりガード板を固定し、作業者が手などを機械内に挿入することを防止できるほか、嵌合係止を解放することによりガード板の位置を上下に移動することが容易となり、金型交換等により材料の供給・搬出装置やエアブロワの位置を変更しようとした場合のガード板の対応が極めて容易となる。また、構造が単純なため製造コストが安く、安価で確実な安全装置を提供することが可能となるので、機械作業の安全性向上に貢献できるものである。
【図面の簡単な説明】
【００２４】
【図１】本考案による簡易型安全装置の一実施例の説明図である。
【図２】図１のＡ−Ａ’線に沿った支柱の断面図である。
【図３】ガード板支持部６の正面図及び側面図である。
【符号の説明】
【００２５】１    支柱
２    案内溝
３    補助溝
４    係止凹部
５    ガード板
６    ガード板支持部
７    支柱挿通穴
８    ガード板保持溝
９    規制ピン
１０  ピン固定ネジ
１１  ガード板固定穴
【図１】
0003184879.tif 000003
【図２】
0003184879.tif 000004
【図３】
0003184879.tif 000005
【手続補正書】
【提出日】平成25年5月1日(2013.5.1)
【手続補正１】
【補正対象書類名】実用新案登録請求の範囲
【補正対象項目名】請求項２
【補正方法】変更
【補正の内容】
【請求項２】
前記ガード板支持部は、前記支柱の前記凹部または突起との嵌合係止から解放された位置においては、前記支柱の軸線に垂直な方向に離脱しない程度にしかも前記支柱に対して回動可能に配置されていることを特徴とする請求項１記載の簡易型安全装置。